(57)【要約】【課題】  文字や撮影した画像、動画、音楽をメールデータで簡単に送信してホームページに自動生成表示が出来るホームページ作成プログラムを提供する。【解決手段】  ユーザの携帯電話や携帯端末（端末装置を含む）から添付ファイル付きメールデータを受信して、テキストデータと添付ファイルに分離し、テキストデータをサーバ内のデータベースに書き込み、書き込まれた前記テキストデータと、添付ファイルをバイナリデータとしてデータベースの指定個所に流し込んだバイナリデータと、を文字、画像、動画、音楽として、手軽に簡単な操作でホームページに自動生成表示することが出来る。【選択図】    図１
2005275658.tif 000002
【特許請求の範囲】
【請求項１】
インターネット上に存在してホームページを表示するサーバに保存されるホームページ作成プログラムであって、プロバイダーまたは携帯電話会社のメールサーバを介して、ネットワーク接続可能で撮影とメール送受信可能な携帯端末装置を含むユーザの端末装置およびユーザの携帯電話とメールの交信を行う送受信機能と、前記送受信機能を介して前記端末装置および前記携帯電話からメール送信される添付ファイル付きメールデータを受信し、テキストデータと添付ファイルに分離し、前記テキストデータを前記サーバ内のデータベースに書き込み、書き込まれた前記テキストデータと、一方前記添付ファイルをバイナリデータとして前記データベースの指定個所に流し込んだ前記バイナリデータとを文字、画像、動画、音楽としてホームページに自動生成する前記ホームページの作成、または、変更を行う、作成変更機能と、前記作成変更機能を介して作成変更された前記ホームページを表示する表示機能と、を備えることを特徴とするホームページ作成プログラム。
【請求項２】
前記作成変更機能は、前記送受信機能を介して前記端末装置および前記携帯電話からメール送信される前記添付ファイル付きメールデータを受信し、テキストデータを変数に代入して前記データベースに書き込み、一方、テンポラリフォルダに添付ファイルを作成し、前記テンポラリフォルダに前記添付ファイルが作成されると同時に、前記テンポラリフォルダにアクセスし、前記添付ファイルを変数に代入し終わるまで前記アクセスを続けるプログラム操作をし、前記データベースの指定個所にバイナリデータとして流し込んで、別々の個所に在るテキストデータと前記バイナリデータを分離して読み込み、前記テキストデータは変数にして代入して前記ホームページに自動生成し、一方前記バイナリデータは変数に代入し、変数から前記バイナリデータを流し込んでファイルを作成して、画像、動画、音楽をホームページに自動生成することを特徴とする請求項１記載のホームページ作成プログラム。
【請求項３】
前記送受信機能は、一定間隔毎に交信を行う、プロバイダーまたは携帯電話会社のメールサーバを介して、ネットワーク接続可能で撮影とメール送受信可能な携帯端末装置を含むユーザの端末装置およびユーザの携帯電話の前記メールデータをメールで受信をし、前記作成変更機能が前記ホームページの作成、または、変更後に、前記ユーザである前記メールデータの送信者にメールで前記メールデータの受信完了の旨を送信し、了解の返信を得ることを特徴とする請求項１記載のホームページ作成プログラム。
【請求項４】
前記表示機能は、前記作成変更機能を介して作成変更されたホームページで、前記メールデータの送信者に前記メールデータの受信完了の旨を送信し、了解の返信を得た前記ホームページを表示することを特徴とする請求項１記載のホームページ作成プログラム。
【発明の詳細な説明】
【技術分野】
【０００１】
本発明は、プロバイダーまたは携帯電話会社のメールサーバを介して、ネットワーク接続可能で撮影とメール送受信可能な携帯端末装置を含むユーザの端末装置およびユーザの携帯電話から、添付ファイル付きメールデータを受信し、文字と同時に画像、動画、音楽をホームページに自動生成し表示する等に関する。
【背景技術】
【０００２】
従来のホームページ作成プログラムは、ユーザの撮影とメール送受信可能な携帯端末装置、端末装置および携帯電話から、ユーザの添付ファイル付きメールデータを受信した際に、全ての添付ファイル付きメールデータを一旦メールボックスに保存した後、そのメールボックスから添付ファイルとテキストデータに分離する方法しか開発されてなかったが、この方法では膨大なプログラムと高度な技術と、長い開発期間と、高額な費用が必要であった。従って一般には、この様なホームページ作成プログラムは普及していないのが現状である。
【０００３】
一般のホームページ作成プログラムは、ユーザの撮影とメール送受信可能な携帯端末装置、端末装置および携帯電話から、メールデータを受信した際に、メールデータのテキスト部分だけでホームページを作成することは出来た。しかし、添付ファイル付きメールデータを受信した際は、添付ファイルを利用し、文字と同時に画像、動画、音楽をホームページに自動生成し、表示し、閲覧も出来て簡単で安価なホームページを作成するホームページ作成プログラムの技術はなかったので、一般には普及はしていない。
【０００４】
カメラ付き携帯端末やカメラ付き携帯電話が普及するようになり、どのメーカの前記携帯端末や前記携帯電話で撮影した写真や音楽や文字でも、添付ファイル付きメールデータとして手軽に、インターネットを活用して、送信し、文字と同時に画像、動画、音楽をホームページに自動生成し表示し、閲覧も出来て簡単で安価なホームページ作成プログラムの技術開発が急務であった。
【０００５】
パソコン間では文字やデジタルカメラ等の画像はパソコン経由でインターネットを介してＦＴＰ（汎用ファイル転送プロトコル）を活用し文字、画像、動画、音楽を送受信し表示する事は、現在行われているが、ＦＴＰを使えない、どのメーカのカメラ付き携帯端末やカメラ付き携帯電話で撮影した写真、また音楽や文字でも、添付ファイル付きメールデータとして手軽に、インターネットを活用して送信し、文字と同時に画像、動画、音楽をホームページに自動生成し表示するホームページ作成プログラムは、いまだに普及するに至らない。
【特許文献１】特開２００２−１４９５５５号公報
【非特許文献１】松田猛、小高郁著 「ＶｉｓｕａｌＢａｓｉｃ６．０、３００の技（ネッワーク＋データベース編）」技術評論社 ２００１年
【発明の開示】
【発明が解決しようとする課題】
【０００６】
そこで、本発明は、上記問題点に鑑み、プロバイダーまたは携帯電話会社のメールサーバを介して、ネットワーク接続可能で撮影とメール送受信可能な、何処のメーカのカメラ付き携帯端末、カメラ付き携帯電話からでも、文字と同時に撮影した画像、動画、そして音楽を簡単に送信してホームページに自動生成し表示し、また閲覧することが出来る安価なホームページ作成プログラムを提供する。
【課題を解決するための手段】
【０００７】
このような課題を解決するための本発明のホームページ作成プログラムは、インターネット上に存在してホームページを表示するサーバに保存されるホームページ作成プログラムであって、プロバイダーまたは携帯電話会社のメールサーバを介して、ネットワーク接続可能で撮影とメール送受信可能な携帯端末装置を含むユーザの端末装置およびユーザの携帯電話とメールの交信を行う送受信機能と、前記送受信機能を介して前記端末装置および前記携帯電話からメール送信される添付ファイル付きメールデータを受信し、テキストデータと添付ファイルに分離し、前記テキストデータを前記サーバ内のデータベースに書き込み、書き込まれた前記テキストデータと、一方前記添付ファイルをバイナリデータとして前記データベースの指定個所に流し込んだ前記バイナリデータとを文字、画像、動画、音楽としてホームページに自動生成する前記ホームページの作成、または、変更を行う、作成変更機能と、前記作成変更機能を介して作成変更された前記ホームページを表示する表示機能と、を備えることを特徴とする請求項１記載のホームページ作成プログラム。
【０００８】
更に本発明のホームページ作成プログラムは、前記作成変更機能は、前記送受信機能を介して前記端末装置および前記携帯電話からメール送信される前記添付ファイル付きメールデータを受信し、テキストデータを変数に代入して前記データベースに書き込み、一方、テンポラリフォルダに添付ファイルを作成し、前記テンポラリフォルダに前記添付ファイルが作成されると同時に、前記テンポラリフォルダにアクセスし、前記添付ファイルを変数に代入し終わるまで前記アクセスを続けるプログラム操作をし、前記データベースの指定個所にバイナリデータとして流し込んで、別々の個所に在るテキストデータと前記バイナリデータを分離して読み込み、前記テキストデータは変数にして代入して前記ホームページに自動生成し、一方前記バイナリデータは変数に代入し、変数から前記バイナリデータを流し込んでファイルを作成して、画像、動画、音楽をホームページに自動生成することを特徴とする請求項１記載のホームページ作成プログラム。
【０００９】
また本発明のホームページ作成プログラムは、前記送受信機能は、一定間隔毎に交信を行う、プロバイダーまたは携帯電話会社のメールサーバを介して、ネットワーク接続可能で撮影とメール送受信可能な携帯端末装置を含むユーザの端末装置およびユーザの携帯電話の前記メールデータをメールで受信をし、前記作成変更機能が前記ホームページの作成、または、変更後に、前記ユーザである前記メールデータの送信者にメールで前記メールデータの受信完了の旨を送信し、了解の返信を得ることを特徴とする請求項１記載のホームページ作成プログラム。
【００１０】
また本発明のホームページ作成プログラムは、前記表示機能は、前記作成変更機能を介して作成変更されたホームページで、前記メールデータの送信者に前記メールデータの受信完了の旨を送信し、了解の返信を得た前記ホームページを表示することを特徴とする請求項１記載のホームページ作成プログラム。
【発明の効果】
【００１１】
どこのメーカのカメラ付き携帯端末および端末、カメラ付き携帯電話からでも、文字と同時に撮影した画像、動画や音楽を簡単に、何処からでも、瞬時に、送信してホームページを作成変更し、自動生成表示し、見ることが出来て、安価であるホームページ作成プログラムを提供出来る。
【発明を実施するための最良の形態】
【００１２】
以下、本発明によるホームページ作成プログラムの好適実施形態の構成および動作を、添付図面を参照して詳細に説明する。
【００１３】
先ず、図１は、本発明によるホームページ作成プログラムの好適実施形態の全体構成図である。本発明によるホームページ作成プログラムは、ホームページ１１０をインターネット１０７上に公開するためのＵＲＬとホームページ１１０を管理運営するためのホームページ作成プログラムを搭載するサーバ１０８と、プロバイダーまたは携帯電話会社のメールサーバ１０６を介して、ネットワーク接続可能で撮影とメール送受信可能なユーザ１０１である端末装置（カメラ付き）１０４、携帯端末（カメラ付き）１０３、携帯電話（カメラ付き）１０２を有する構成である。本発明でいう端末装置（カメラ付き）１０４、携帯端末（カメラ付き）１０３、携帯電話（カメラ付き）１０２とはネットワーク接続可能で撮影とメール送受信可能な機器であるが、音楽や文字の送受信の場合や、ホムペ−ジ１１０にアクセスして、ホームペ−ジ１１０を閲覧する場合はネットワーク接続可能でメール送受信可能な機器であればよく、カメラ付きの機器である必要はない。
【００１４】
ユーザ１０１がプロバイダーまたは携帯電話会社のメールサーバ１０６を介し、インターネット１０7に接続して添付ファイル付きメールデータ１０５を、ホームページ１１０に送信すると、サーバ１０８が受信する。サーバ１０８が、前記添付ファイル付きメールデータ１０５を受信すると本発明によるホームページ作成プログラムは、添付ファイル１１１とテキストデータ１１２に分離し、データベース１１５の各指定個所に流し込み、書き込み、が終わると、前記データベース１１５から読み込んで、テキスト１１３と画像、動画、音楽１１４をホームページ１１０に自動生成、表示する。
【００１５】
次に図２の好適実施形態の全体フローチャートを参照して、本発明によるホームページ作成プログラムのホームページにユーザが、アクセスしてメールデータ送信してホームページに自動生成表示する説明をする。
【００１６】
ネットワーク接続可能で撮影とメール送受信可能な端末装置（カメラ付き）、携帯端末（カメラ付き）、携帯電話（カメラ付き）（Ｓ２０１）を有するユーザが、添付ファイル付きメールデータを送信する（Ｓ２０２）。そして、プロバイダーまたは携帯電話会社のメールサーバが、添付ファイル付きメールデータを受信する（Ｓ２０３）。前述のように、端末装置（カメラ付き）、携帯端末（カメラ付き）、携帯電話（カメラ付き）はネットワーク接続可能で撮影とメール送受信可能な機器であるが、音楽や文字の送信の場合や、ホームページを閲覧する場合は、ネットワーク接続可能でメール送受信可能な機器であればよく、カメラ付きの機器である必要はない。
【００１７】
ホームページをインターネット上に公開するためのＵＲＬとホームページを管理運営するためのホームページ作成プログラムを搭載するサーバは、プロバイダーまたは携帯電話会社のメールサーバへ一定間隔毎に交信を行い、ユーザが送信した添付ファイル付きメールデータを受信する（Ｓ２０４）。その添付ファイル付きメールデータはテキストデータ（Ｓ２１２）と添付ファイル（Ｓ２０７）に分離する。
【００１８】
分離したテキストデータ（Ｓ２１２）は変数に代入する（Ｓ２１３）。そしてテキストデータをデータベースに書き込む（Ｓ２１４）、その後、データベースからからテキストデータを読み込む（Ｓ２１６）。
【００１９】
この時点で、ユーザである端末装置（カメラ付き）、携帯端末（カメラ付き）、携帯電話（カメラ付き）（Ｓ２０１）に対し、プロバイダーまたは携帯電話会社のメールサーバ経由で受信完了を返信（Ｓ２０６）（Ｓ２０５）し連絡する。
【００２０】
前述のデータベースからからテキストデータを読み込み（Ｓ２１６）が終わり、テキストデータを変数に代入し（Ｓ２１８）、次いでホームページにテキストデータを自動生成表示する（Ｓ２２１）。
【００２１】
前述のユーザが送信した添付ファイル付きメールデータを受信し、その添付ファイル付きメールデータはテキストデータ（Ｓ２１２）と添付ファイル（Ｓ２０７）に分離したが、一方、添付ファイル（Ｓ２０７）は、テンポラリフォルダに添付ファイルを作成し（Ｓ２０８）、次いで、テンポラリフォルダに添付ファイルが作成されると同時に前記テンポラリフォルダにアクセスする（Ｓ２０９）プログラム操作をし、前記添付ファイルを変数に代入し終わるまでプログラム操作でアクセスを続ける（Ｓ２１０）。そしてデータベースの指定個所にバイナリデータとして流し込んで（Ｓ２１１）、前記データベースから前記バイナリデータを読み込み（Ｓ２１５）、変数に代入し（Ｓ２１７）、変数からバイナリデータを流し込んでファイルを作成して（Ｓ２１９）、ホームページにバイナリデータである画像、動画、音楽をホームページに自動生成表示する（Ｓ２２０）。
【００２２】
次に図３の好適実施形態のホームページの具体例の図で、本発明によるホームページ作成プログラムのホームページにユーザが、アクセスしてメールデータを送信してホームページに自動生成表示する図を説明する。ユーザが携帯電話（カメラ付き）で撮影した写真とテキストデータ（添付ファイル付きメールデータ）をホームページに送信し添付ファイルは写真３０１となりホームページに自動生成表示される。テキストデータはテキスト３０２となりホームページに自動生成表示される。
【産業上の利用可能性】
【００２３】
以上説明したように本発明によれば、携帯電話や携帯端末（端末装置を含む）から手軽に簡単な操作で写真やテキスト等をホームページに送信し、掲載が出来るため、商業・産業振興、福祉、防災、防犯などの多面的利用が考えられる。
【図面の簡単な説明】
【００２４】
【図１】好適実施形態の全体構成図である。
【図２】好適実施形態の全体フローチャート図である。
【図３】好適実施形態のホームページの具体例の図である。
【符号の説明】
【００２５】
１０１  ユーザ
１０２  携帯電話（カメラ付き）
１０３  携帯端末（カメラ付き）
１０４  端末装置（カメラ付き）
１０５  添付ファイル付きメールデータ
１０６  プロバイダーまたは携帯電話会社のメールサーバ
１０７  インターネット
１０８  サーバ
１０９  ハードディスク
１１０  ホームページ
１１１  添付ファイル
１１２  テキストデータ
１１３  テキスト
１１４  画像、動画、音楽
１１５  データベース
３０１  写真
３０２  テキスト
【図１】
2005275658.tif 000003
【図２】
2005275658.tif 000004
【図３】
2005275658.tif 000005